(57)【要約】      （修正有）【課題】室内にまとまった洗濯物を掛けることができるほか、ファンシーケースや部屋のインテリアとしても使用することができる多機能のハンガーを提供する。【解決手段】ハンガーを室内の被取付部に取り付けるための取付具１と、水平位置を保持しつつ衣類掛け具を受け入れる張出部３と、取付具１に固定され張出部３を支持する支持部２とを有し、張出部３には衣類掛け具を受け入れるための掛け部を複数有する。取付部１は一端が鉤型となっており、鉤型の端を取付部１と室内の被取付部との間に挿入することにより、固定具を使用せずに取り付けることができる。取付部１は螺旋穴を有し、幅のない横柱には、螺旋の挿入角度を調節しつつ取付部１を被取付部に螺子着することも可能である。【選択図】図１
0003195935.tif 000002
【実用新案登録請求の範囲】
【請求項１】
室内における物干し、洋服掛け等の用途に使用するハンガーであって、
前記ハンガーを室内の被取付部に取り付けるための取付具と、
水平位置を保持しつつ衣類掛け具を受け入れる張出部と、
前記取付具に固定され前記張出部を支持する支持部と、
を有し、前記張出部には衣類掛け具を受け入れるための掛け部を複数有することを特徴とするハンガー。
【請求項２】
前記取付部は一端が鉤型となっており、前記鉤型の端を前記被取付部と壁面との間に挿入することにより、固定具を使用せずに前記被取付部に取り付けることができることを特徴とする請求項１記載のハンガー。
【請求項３】
前記取付部は螺旋穴を有し、螺旋の挿入角度を調節しつつ前記取付部を被取付部に螺子着することが可能であることを特徴とする請求項１又は２記載のハンガー。
【請求項４】
前記張出部を水平に固定するため、前記取付部と室内の壁面との距離を調整するための調整具を有することを特徴とする請求項1乃至３のいずれかに記載のハンガー。
【考案の詳細な説明】
【技術分野】
【０００１】
本考案は、室内用の物干し、洋服掛け等の用途に使用するハンガーに関する。
【背景技術】
【０００２】
室内における物干し、洋服掛け等の用途に使用するハンガーとしては、図６のような移動式ラックやファンシーケースが一般的である。
【先行技術文献】
【特許文献】
【０００３】
【特許文献１】特開２００６−２２３６９８号公報
【特許文献２】特開２０１１−４９８８号公報
【考案の概要】
【考案が解決しようとする課題】
【０００４】
日中、外出や仕事等の理由により、外に洗濯物を干すことができないことがある。また、その日の天気の急変により、生乾きの洗濯物を部屋の中に収納しなければならないこともある。そのようなとき、室内にはまとまった洗濯物を掛ける場所がなく、長押や鴨居に螺子着したハンガー用フックに掛けたり、カーテンレールやドアの取っ手等、ハンガーをぶら下げることができるものを捜してバラバラに掛けることが多く、室内の美観を損ねたり、急な来客に慌てたりするという問題があった。
【０００５】
一方、前述のようなラック式のハンガー（図６）やファンシーケース等移動式の洋服掛けを利用することもできるが、このようなものを常時準備しておくことは、室内スペースの問題が生じる。
【０００６】
特許文献１には、カーテンレールに取り付ける室内物干し具の発明が開示されているが、カーテンレール本来の構造により加重には無理があり、洗濯物の重量が原因でレールが変形又は脱落する危険性がある。
【０００７】
特許文献２（図７）には、窓枠の室内側の両側辺に固定した取付部材に竿受部を取り付け、該竿受部に物干し竿ごと洗濯物を受け入れる室内物干しが提案されているが、該物干しの使用については、前記取付部を螺子着することによる賃貸家屋の損傷の問題、物干し竿を室内に搬入することについての手間や美観の問題、また、窓枠及び部屋の幅が竿の長さより短い場合にはどうするのか、といった問題がある。
【０００８】
上述の問題に鑑み、本考案は、室内の目立たない場所に視認できる損傷を与えずに設置でき、まとまった洗濯物を掛けることができるほか、ファンシーケースや部屋のインテリアとしても使用することができる多機能のハンガーを提供することを課題とする。
【課題を解決するための手段】
【０００９】
上記課題を解決するために、請求項１のハンガーは、室内における物干し、洋服掛け等の用途に使用するハンガーであって、前記ハンガーを長押等の被取付部に取り付けるための取付具と、水平位置を保持しつつ衣類掛け具を受け入れる張出部と、前記取付具に固定され前記張出部を支持する支持部とを有し、前記張出部には衣類掛け具を受け入れるための掛け部を複数有することを特徴とする。
【００１０】
請求項２のハンガーは、前記取付部の一端が鉤型となっており、前記鉤型の端を前記被取付部と壁面との間に挿入することにより、螺旋等の固定具を使用せずに前記被取付部に取り付けることができることを特徴とする。
【００１１】
請求項３のハンガーは、前記取付部は螺旋穴を有し、前記鉤型の端を利用して前記取付部を被取付部に固定できないときに、螺旋の挿入角度を調節しつつ前記取付部を被取付部に螺子着することが可能であることを特徴とする。
【００１２】
請求項４のハンガーは、前記張出部を水平に固定するため、前記取付部と室内の壁面との距離を調整するための調整具を有することを特徴とする。
【考案の効果】
【００１３】
本考案により、外出時や雨天時に、まとまった数の洗濯物を室内に干すことができ、これをカーテン等で囲うことにより、急な来客にも対応することができる。また、季節によりカーテンのように囲いを取り替えアレンジできる。
【００１４】
また、単体、複数個での使用や、張出部のサイズ等の変更も可能であるため、天井板や囲いを取り付ける等の工夫により、ファンシーケースの代用や吊り棚等々、様々な使用目的にアレンジが可能となる。
【図面の簡単な説明】
【００１５】
【図１】実施形態１のハンガーの正面図である。
【図２】実施形態１のハンガーの平面図である。
【図３】実施形態１のハンガーの取付方法を示す斜視図である。
【図４】実施形態２のハンガーの正面図である。
【図５】実施形態２のハンガーの取付方法を示す斜視図である。
【図６】市販のラックの斜視図である。
【図７】特許文献２に記載の室内物干しの斜視図である。
【考案を実施するための形態】
【００１６】
以下、本考案のハンガーの実施形態について図を用いて説明する。
（実施形態１）  
実施形態１は、本考案のハンガーを、壁面９との間に隙間を有する長押７等の被取付部に取り付ける形態を示す。図１に示すように、本考案に係るハンガーは、取付具１、張出部３及び支持部２の３点により構成される。取付部１は、鉤型に曲がった一端に壁着面１１を有し、この壁着面１１を長押７と壁面９との間に挿入することにより、固定具を使用することなく取付部１が長押７に仮固定される。
【００１７】
図３に示すように、支持部２はボルト・ナット６により取付部１に固定され、張出部３は同じくボルト・ナット６により支持部に固定される。図２に示すように支持部２の上片２１及び張出部３の上片３１には複数の掛け穴(小)２３及び３３が、また、図１に示すように支持部２の中央片２２及び張出部３の中央片３２には複数の掛け穴(大)２４及び３４が設置され、掛け具１０のような掛け具を多数受け入れることができる。
【００１８】
図１及び２に示すように、支持部２の下部には調整金具４が設置できるようになっており、支持部２と壁面９との距離を調整し、張出部３を常に水平に保持できるようになっている。
【００１９】
（実施形態２）
実施形態２は、壁面との間に隙間を有さない比較的厚さの薄い横柱等の被取付部に本ハンガーを設置する形態を示す。取付部１には、実施形態１では使用しない螺子穴１２が設置されている。本実施形態においては、取付部１を実施形態１で使用した状態から反転させて使用する（図４及び５）。壁着面１１を横柱８に着接させ、螺旋穴１２から横柱８の方向に斜めに木螺子５をねじ込む。これにより、比較的目立ない横柱８の上辺にのみ穴を開け、本ハンガーを固定することができる。支持部２及び張出部３の構成は実施形態１と同じである。
【００２０】
以上、本考案の有する特徴及び優れた点を上記２つの実施形態に記載したが、本考案は、本考案の原理の範囲内で、本願の実用新案登録請求の範囲で使用されている言葉を広く一般的な意味にまで広げて実施することが可能である。特に本ハンガーを構成する取付具、張出部及び支持部の形状、サイズ、衣類等の掛け方についての違いや、本ハンガーに天板、囲い具等を加えての実施は、ハンガー自体の用途にかかわらず、本考案の技術的範囲に含まれるものと解する。
【符号の説明】
【００２１】
１      取付部
１１    壁着面
１２    螺子穴
１３    ボルト孔
２      支持部
２１    上片
２２    中央片
２３    掛け穴（小）
２４    掛け穴（大）
２５    ボルト穴
３      張出部
３１    上片
３２    中央片
３３    掛け穴（小）
３４    掛け穴（大）
３５    ボルト穴
４      調整金具
５      木螺子
６      ボルト・ナット
７      長押
８      横柱
９      壁面
１０    掛け具
【図１】
0003195935.tif 000003
【図２】
0003195935.tif 000004
【図３】
0003195935.tif 000005
【図４】
0003195935.tif 000006
【図５】
0003195935.tif 000007
【図６】
0003195935.tif 000008
【図７】
0003195935.tif 000009